(57)【要約】  ディスクで押し動かされるディスク検出部材１７と、このディスク検出部材１７の動きで駆動されスライド部材１１を移動させる回転体２０と、回転体２０の表面に同軸に設けた一部を軸線方向に欠除した筒体２３と、筒体周面に当接させてスライド部材１１に加わる移動力を回転体２０の中心に作用させるように該スライド部材に設けた腕部２４とを備えたものである。
2010055606.tif 000002
【特許請求の範囲】
【請求項１】
ディスク挿入待機状態とディスク再生状態のモードをスライド部材の移動により切り替えるディスク装置において、ディスクで押し動かされるディスク検出部材と、前記ディスク検出部材の動きで駆動され前記スライド部材を移動させる回転体と、前記回転体の表面に同軸に設けた一部を軸線方向に欠除した筒体と、前記筒体周面に当接させて前記スライド部材に加わる移動力を前記回転体の中心に作用させるように該スライド部材に設けた腕部とを備えたことを特徴とするディスク装置。
【請求項２】
腕部は欠除部より筒体の回転方向上流側において筒体表面に当接させたことを特徴とする請求項１記載のディスク装置。
【請求項３】
筒体表面に当接する腕部の当接面は斜面に形成していることを特徴とする請求項１記載のディスク装置。
【請求項４】
スライド部材に加わる衝撃力を回転部品の中心方向に向けるようにすることで、スライド部材になんらかの衝撃が加わっても、回転体は回転しないためスライド部材は移動出来ないのでモードが衝撃で切り替わらずディスククランプ状態を維持できる請求項１記載のディスク装置。
【発明の詳細な説明】
【技術分野】
【０００１】
この発明は、ディスク挿入待機状態とディスク再生状態のモードをスライド部材の移動により切り替えるディスク装置に関するものである。
【背景技術】
【０００２】
この種のディスク装置は、図１３、図１４に示すように、ディスク検出部材１０１は中間部を軸１０２で基板１０３に回転可能に軸支されている。このディスク検出部材１０１の一端側上面にはディスク周面が当接するピン１０１ａが設けられ他端側端面は駆動力伝達部材１０４の後端に当接している。この駆動力伝達部材１０４は不図示の付勢部材で矢印と反対方向へ付勢されている。【０００３】
基板１０３には回転体１０５と駆動ギア１０６が設けられ、回転体１０５は駆動ギア１０６に噛合う欠歯ギア１０５ａを有し、その表面にはディスク挿入待機状態において駆動力伝達部材１０４の移動線上に位置するようにピン１０７が設けられている。この回転体１０５で駆動されるスライド部材１０８は基板１０３の側面（図示せず）に前後動自在に設けられている。そして、このスライド部材１０８は上面にディスククランプ部材１０９が当接する段部１０８ａが、また、内側面にはディスク搬送ローラを上下動させるガイド溝１０８ｂおよびピン１０７の回転軌跡内に達する長さの腕部１０８ｃが形成されている。【０００４】
図１３に示すディスク挿入待機状態において、ディスク１１４が挿入されると、このディスク１１４でピン１０１ａを介してディスク検出部材１０１が押し動かされる。このため、駆動力伝達部材１０４がディスク検出部材１０１で矢印方向に押し動かされ、この駆動力伝達部材１０４の動きでピン１０７を介して回転体１０５が回転させられる。この回転体１０５の回転によって、欠歯部１０５ｂが駆動ギア１０６の対向位置から離れ、欠歯ギア１０５ａが駆動ギア１０６に噛合い、以後は駆動ギア１０６からの駆動力によって回転体１０５は回転を続ける。【０００５】
この回転体１０５の回転によって、回転体１０５の上面のピン１０７が腕部１０８ｃを介してスライド部材１０８を矢印方向に移動させる。このため、ディスク１１４がターンテーブル（図示せず）上に位置するまで搬送されると、ディスク搬送ローラは軸がガイド溝１０８ｂに沿って下方に引き下げられ、ディスク１１４との接触状態を回避する位置に移動する。また、同時に、スライド部材１０８の上面に当接していたディスククランプ部材１０９が段部１０８ａに落ち込み、ディスク１１４をターンテーブル上に押圧保持し、図１４に示すディスク再生状態になる。【０００６】
従来のディスク装置は上記の構成であるから、例えばディスク挿入待機状態において、何らかの衝撃が加わり、スライド部材１０８が移動すると、ディスク挿入待機状態からディスク再生状態にモードが切り替わることがある。しかし、モードの切り替えは意図したときにのみ確実に切り替わることが必要で、意図しないときに切り替わることは問題である。【０００７】
そこで、このような問題が生じないように工夫されたディスク装置が特許文献１に開示されている。この特許文献１に開示されたディスク装置は、移動部材を支持する固定ベースに当接部と規制部を設け、移動手段が規定側に位置し、搬送手段が搬送力伝達位置に位置し、搬送ローラを支持する可動アームが反時計方向へ回転しているときに、移動部材が反規定部側へ移動すると、固定ベースに設けられた当接部によって可動アームが時計方向に回転させられ、可動アームの突部が規制部に規制され、可動アームの反時計方向への回転が阻止されるように構成されている。
【先行技術文献】
【特許文献】
【０００８】
【特許文献１】特開２００３−３４６４０７号公報
【発明の概要】
【０００９】
しかし、特許文献１に開示されたものは、上記のように搬送ローラを支持する可動アームに突部が形成され、移動部材を支持する固定ベースに当接部と規制部を設けた構成であるから、構成が複雑で、振動等により衝撃力を確実に抑制することが困難であるという課題があった。
【００１０】
この発明は上記のような課題を解消するためになされたもので、簡単な構成で、振動等に基づく衝撃力によってスライド部材が移動し、ディスク挿入待機状態とディスク再生状態のモードが不用意に切り替わることを確実に防止できるディスク装置を提供することを目的とする。
【００１１】
この発明に係るディスク装置は、ディスクで押し動かされるディスク検出部材と、ディスク検出部材の動きで駆動されスライド部材を移動させる回転体と、回転体の表面に同軸に設けた一部を軸線方向に欠除した筒体と、筒体周面に当接させてスライド部材に加わる移動力を回転体の中心に作用させるように該スライド部材に設けた腕部とを備えたものである。
【００１２】
この発明によれば、ディスク検出部材で駆動されてスライド部材を移動させる回転体と、回転体の表面に同軸に設けた一部を軸線方向に欠除した筒体と、この筒体周面に当接させてスライド部材に加わる移動力を回転体の中心に作用させる腕部をスライド部材に設けた構成であるので、回転体が回転しない限り、スライド部材に加わる移動力は腕部から筒体を介して回転体の中心方向に作用している。この結果、振動等に基づく衝撃力がスライド部材に加わっても、不用意にスライド部材が移動して、例えばディスク挿入待機状態からディスク再生状態にモードが切り替わるという事態を、また衝撃力が加わっても回転体が回転しないため動作が切り替わらないのでディスク待機状態を維持する事態を、簡単な構成により確実に防止することができる効果がある。
【図面の簡単な説明】
【００１３】
【図１】この発明の実施の形態１によるディスク再生装置の分解斜視図である。
【図２】ディスクを挿入前の要部の平面図である。
【図３】ディスク挿入状態における再生ユニットを示す斜視図である。
【図４】その再生ユニットの右側側面図である。
【図５】図４においてスライド部材を取り外して示す側面図である。
【図６】挿入ディスクがディスク検出部材に当接した状態を示す要部の斜視図である。
【図７】図６の拡大平面図である。
【図８】ディスクが所定位置に挿入された状態を示す要部の斜視図である。
【図９】ディスク挿入完了状態における再生ユニットを示す斜視図である。
【図１０】その再生ユニットの右側側面図である。
【図１１】図１０においてスライド部材を取り外して示す側面図である。
【図１２】スライド部材を図３Ａ−Ａ線に沿って装置内面側から見た正面図である。
【図１３】従来のスライド部材の駆動部を示す斜視図である。
【図１４】そのスライド部材に移動状態を示す斜視図である。
【発明を実施するための形態】
【００１４】
以下、この発明をより詳細に説明するために、この発明を実施するための形態について、添付の画面に従って説明する。
実施の形態１．
以下、図面に基づいて、この発明の実施の形態１によるディスク再生装置について説明する。図１はこの発明の実施の形態１によるディスク再生装置の分解斜視図、図２はディスクを挿入前の要部の平面図、図３はディスク挿入状態における再生ユニットを示す斜視図、図４はその再生ユニットの右側側面図、再生ユニットに対するディスクの挿入状態を示す斜視図、図４は図３の側面図、図５は図４においてスライド部材を取り外して示す側面図、図６は挿入ディスクがディスク検出部材に当接した状態を示す要部の斜視図、図７は図６の拡大平面図、図８はディスクが所定位置に挿入された状態を示す要部の斜視図、図９はディスク挿入完了状態における再生ユニットを示す斜視図、図１０はその再生ユニットの右側側面図、図１１は図１０においてスライド部材を取り外して示す側面図、図１２はスライド部材を図３Ａ−Ａ線に沿って装置内面側から見た正面図である。
【００１５】
図１〜図５に示すように、再生ユニット１を構成する基板１−１には、ローラ支持部材２、ディスクガイド３、ターンテーブル６、ディスク挿入待機状態のモードとディスク再生状態のモードを切り替えるスライド部材１１、スライド部材１１を移動させる回転体２０等が設けられている。
【００１６】
ローラ支持部材２は、板状体の裏面側に切り起した左右一対の片２−１，２−１にそれぞれ設けた取り付け孔（図１の一部きり欠いた部分に図示されている）２ａに再生ユニット１に設けられた左右の支持軸１ａ、１ａを差し込むことで、再生ユニット１に対して回転自在に取り付けられている。また、ローラ支持部材２は、再生ユニット１の両側に設けたスライド部材１１の搬送ローラ移動用カム溝１１ａ（図１２参照）に嵌合するピン２ｂを左右側面に備えている。ローラ（ディスク搬送ローラ）５は、両端がローラ支持部材２に回転可能に軸支され、バネ９（図５参照）によりディスクガイド３の裏面側に圧接するよう付勢されている。
【００１７】
ディスクガイド３は左右両側に下向きのガイド片３−１、３−１を備え、このガイド片３−１、３−１の内面に設けられたピン３ａ、３ａを再生ユニット１の左右側面に設けられた直立方向に延びる溝１ｂに挿入することで上下動可能に取付けられている。また、ガイド片３−１、３−１の外面にはスライド部材１１のディスクガイド移動用カム溝１１ｂ（図１２参照）に嵌合するピン３ｂ、３ｂ（左側は不図示）が設けられている。ターンテーブル６は基板１−１の内部中央部に配置され、このターンテーブル６を回転駆動するスピンドルモータ１０（図５参照）およびディスク１４に記録された信号を読み取る光ピックアップ８が設けられている。
【００１８】
スライド部材１１は再生ユニット１の両側面（図３は１側面のみを示す）に前後動可能に設けられており、その前部内面には図１２に示すように、搬送ローラ移動用カム溝１１ａとディスクガイド移動用カム溝１１ｂが設けられている。また、後部上面にはクランプ部材１２の規制を開放する段部１１ｃが設けられており、この段部１１ｃがクランプ部材１２との対応位置に来ると、クランプ部材１２は付勢部材１６（図５参照）の付勢力によってターンテーブル６上に引き下ろされて、ディスク１４をターンテーブル上に押圧してクランプする。
【００１９】
ここで、図６、図８、図１２に示すように、スライド部材１１と、このスライド部材１１に形成されたディスクガイド移動用カム溝１１ｂおよび搬送ローラ移動用カム溝１１ａと、ディスクガイド３に設けられ前記ディスクガイド移動用カム溝１１ｂに作用するピン３ｂ、３ｂと、ローラ支持部材２に設けられ前記搬送ローラ移動用カム溝１１ａに作用するピン２ｂとで、搬送ローラ５および前記ディスクガイド３を互いに異なる移動量で下方に移動させる移動手段を構成している。
【００２０】
ディスク検出部材１７は図６〜図８に示すように、中間部の軸１７ａで基板１−１に回転可能に軸支され、その一端側上面にディスク周面が当接するピン１８が設けられ他端側端面は駆動力伝達部材１９の後端に当接している。この駆動力伝達部材１９は不図示の付勢部材で矢印とは反対方向に付勢されている。
【００２１】
また、図６〜図８に示すように、基板１−１に回転自在に設けられた回転体２０には欠歯ギア２０ａが設けられており、この回転体２０の回転によって欠歯ギア２０ａが係脱する常時回転している駆動ギア２１が基板１−１上に設けられている。回転体２０の表面にはディスク挿入待機状態において駆動力伝達部材１９の移動線上に位置するようにピン２２が設けられている。また、回転体２０の表面には一部を軸線方向に欠除した欠除部２３ａが筒体２３に同軸に設けられている。
一方、スライド部材１１には先端が筒体２３の周面に当接する腕部２４が形成されており、この腕部２４は欠除部２３ａより筒体２３の回転方向上流側において筒体表面に当接させ、筒体表面に当接する腕部２４の当接面は斜面に形成されている。このため、スライド部材１１の移動力は腕部２４、筒体２３を介して回転体２０の中心に作用し、回転体２０が回転して欠除部２３ａが腕部２４に対向しないと、スライド部材１１は移動できない構成である。
【００２２】
次に、動作について説明する。
図１〜図５に示すように、ローラ支持部材２は、支持軸１ａ（図１参照）を支点として矢印Ｂ方向（図５参照）へ、バネ９によって回転付勢され、搬送ローラ５はディスクガイド３の裏面側に付勢されている。また、ディスクガイド３は搬送ローラ５に押し上げられて、溝１ｂ（図１参照）に沿って矢印Ｃ方向（図４参照）に移動して位置している。
【００２３】
このディスク挿入待機状態において、ディスク１４が挿入されると、この挿入を検出した不図示の検出部材の検出信号で不図示のモータ回路のスイッチを閉じ、このモータ１０の駆動力で搬送ローラ５を回転させ、ディスク１４を搬送ローラ５とディスクガイド３の間に挟み込んで該ローラで装置内へ搬送する。
【００２４】
図６に示すように、挿入されたディスク１４はその周面でピン１７ａを押してディスク検出部材１７を矢印方向に回転させ、その一端で駆動力伝達部材１９を矢印方向に移動させる。この移動した駆動力伝達部材１９の先端斜面がピン２２を押すことにより、回転体２０は矢印方向に回転する。このため、欠除部２０ｂが駆動ギア２１との対向位置より離れ、欠除部２０ｂに続くギア部２０ａが駆動ギア２１に噛合う。以後、回転体２０は駆動ギア２１によって駆動され、矢印方向に回転を続ける。この回転体２０の回転により、筒体２３の欠除部２３ａがスライド部材１１の腕部２４との対向位置に位置し、腕部２４は筒体周面との当接が解除され、スライド部材１１は腕部２４の作用する回転体２０のピン２２に押されて矢印方向に移動する。
【００２５】
そして、スライド部材１１は終端まで移動すると、図１２に示すように、スライド部材１１の上面で下向き回転を規制されていたクランプ部材１２は、その上面の段部１１ｃに対応することにより規制が解除され、付勢部材１６の付勢力で引き下げられて下向きに回転し、図８〜図１１に示すようにディスク１４をターンテーブル６上に押圧保持する。
【００２６】
また、ローラ支持部材２は搬送ローラ移動用カム溝１１ａによって回転力を受けて引き下げられるとともに、ディスクガイド３はディスクガイド移動用カム溝１１ｂによって回転力を受けて、ローラ支持部材２とは異なる移動量で引き下げられるとともに、ピン３ａと溝１ｂとの隙間分だけ水平方向に移動する。
【００２７】
この場合、搬送ローラ移動用カム溝１１ａとディスクガイド移動用カム溝１１ｂとの形状差によって、搬送ローラ５および前記ディスクガイド３は互いに異なる移動量で下方に移動する。この結果、装置本体の図示しない上面板とディスクガイド３、ディスクガイド３とディスク１４、ディスク１４と搬送ローラ５のそれぞれの間にクリアランスが形成され、上記装置本体の上面板とディスクガイド３との間では防振が確保される。また、ディスクガイド３とディスク１４、ディスク１４と搬送ローラ５との間では、再生時にディスク１４がディスクガイド３、搬送ローラ５と接触することが防止される。
【００２８】
一方、例えばディスク待機状態時に何らかの衝撃によってスライド部材１１に移動力が加わっても、このスライド部材１１に加わる移動力は腕部２４から筒体２３を介して回転体２０の中心方向に作用しているため、回転体２０が回転しない限りスライド部材１１が不用意に移動することができない。
【００２９】
以上のように、この実施の形態１によれば、ディスク検出部材で駆動されてスライド部材を移動させる回転体と、回転体の表面に同軸に設けた一部を軸線方向に欠除した筒体と、この筒体周面に当接させてスライド部材に加わる移動力を回転体の中心に作用させる腕部をスライド部材に設けた構成であるので、回転体が回転して欠除部が腕部に対向しない限り、スライド部材に加わる移動力は腕部から筒体を介して回転体の中心方向に作用し、スライド部材は振動等に基づく衝撃力が加わっても移動することがなく、不用意にスライド部材が移動して、ディスク待機状態とディスク再生状態のモードが切り替わるという事態を確実に防止することができる効果がある。
【００３０】
また、腕部を欠除部より筒体の回転方向上流側において筒体表面に当接させた構成であるので、スライド部材が振動等の衝撃力を受けて不用意に移動することを確実に防止するとともに、正常動作時はディスク挿入待機状態からディスク再生状態へのモード切り替えが円滑に行なわれる効果がある。
【００３１】
また、筒体表面に当接する腕部の当接面は斜面に形成した構成であるので、腕部と筒体表面とは線接触となり、スライド部材の移動力を安定に筒体に伝えることができ、不用意なスライド部材の移動によるモード切替を確実に防止することができる効果がある。
【産業上の利用可能性】
【００３２】
この発明に係るディスク装置は、振動等に基づく衝撃力がスライド部材に加わっても、不用意にスライド部材が移動して、例えばディスク挿入待機状態からディスク再生状態にモードが切り替わるという事態を簡単な構成により確実に防止することができるため、ディスク挿入待機状態とディスク再生状態のモードをスライド部材の移動により切り替えるディスク装置等に用いるのに適している。
【図１】
2010055606.tif 000003
【図２】
2010055606.tif 000004
【図３】
2010055606.tif 000005
【図４】
2010055606.tif 000006
【図５】
2010055606.tif 000007
【図６】
2010055606.tif 000008
【図７】
2010055606.tif 000009
【図８】
2010055606.tif 000010
【図９】
2010055606.tif 000011
【図１０】
2010055606.tif 000012
【図１１】
2010055606.tif 000013
【図１２】
2010055606.tif 000014
【図１３】
2010055606.tif 000015
【図１４】
2010055606.tif 000016
【手続補正書】
【提出日】平成24年1月4日(2012.1.4)
【手続補正１】
【補正対象書類名】特許請求の範囲
【補正対象項目名】全文
【補正方法】変更
【補正の内容】
【特許請求の範囲】
【請求項１】
ディスク挿入待機状態とディスク再生状態のモードをスライド部材の移動により切り替えるディスク装置において、ディスクで押し動かされるディスク検出部材と、前記ディスク検出部材の動きで駆動され前記スライド部材を移動させる回転体と、前記回転体の表面に同軸に設けた一部を軸線方向に欠除した筒体と、前記筒体周面に当接させて前記スライド部材に加わる移動力を前記回転体の中心に作用させるように該スライド部材に設けた腕部とを備え、
衝撃が前記スライド部材に加わった際に、前記スライド部材に加わる衝撃力を回転部品の中心方向に向け、前記回転体を回転させないことで、前記スライド部材を移動させないようにし、前記衝撃で前記モードが切り替わらないようにディスククランプ状態を維持できることを特徴とするディスク装置。
【請求項２】
腕部は欠除部より筒体の回転方向上流側において筒体表面に当接させたことを特徴とする請求項１記載のディスク装置。
【請求項３】
筒体表面に当接する腕部の当接面は斜面に形成していることを特徴とする請求項１記載のディスク装置。
【手続補正２】
【補正対象書類名】明細書
【補正対象項目名】００１１
【補正方法】変更
【補正の内容】
【００１１】
この発明に係るディスク装置は、ディスク挿入待機状態とディスク再生状態のモードをスライド部材の移動により切り替えるディスク装置において、ディスクで押し動かされるディスク検出部材と、ディスク検出部材の動きで駆動されスライド部材を移動させる回転体と、回転体の表面に同軸に設けた一部を軸線方向に欠除した筒体と、筒体周面に当接させてスライド部材に加わる移動力を回転体の中心に作用させるようにスライド部材に設けた腕部とを備え、衝撃が前記スライド部材に加わった際に、スライド部材に加わる衝撃力を回転部品の中心方向に向け、回転体を回転させないことで、スライド部材を移動させないようにし、衝撃でモードが切り替わらないようにディスククランプ状態を維持できるものである。
【手続補正３】
【補正対象書類名】明細書
【補正対象項目名】００１２
【補正方法】変更
【補正の内容】
【００１２】
この発明によれば、ディスク挿入待機状態とディスク再生状態のモードをスライド部材の移動により切り替えるディスク装置において、ディスクで押し動かされるディスク検出部材と、ディスク検出部材の動きで駆動されスライド部材を移動させる回転体と、回転体の表面に同軸に設けた一部を軸線方向に欠除した筒体と、筒体周面に当接させてスライド部材に加わる移動力を回転体の中心に作用させるようにスライド部材に設けた腕部とを備え、衝撃が前記スライド部材に加わった際に、スライド部材に加わる衝撃力を回転部品の中心方向に向け、回転体を回転させないことで、スライド部材を移動させないようにし、衝撃でモードが切り替わらないようにディスククランプ状態を維持できる構成であるので、回転体が回転しない限り、スライド部材に加わる移動力は腕部から筒体を介して回転体の中心方向に作用している。この結果、振動等に基づく衝撃力がスライド部材に加わっても、不用意にスライド部材が移動して、例えばディスク挿入待機状態からディスク再生状態にモードが切り替わるという事態を、また衝撃力が加わっても回転体が回転しないため動作が切り替わらないのでディスク待機状態を維持する事態を、簡単な構成により確実に防止することができる効果がある。
【国際調査報告】
2010055606.tif 000017
2010055606.tif 000018